(57)【要約】【課題】  ＶＲＲＰによるルータ冗長化システムにおいてＤＨＣＰリレーエージェント機能を使用するときの無効なトラフィックを防止する。【解決手段】  複数のルータ上に存在する全てのＤＨＣＰリレーエージェントはＶＲＲＰの状態を監視し、最も小さい番号のＶＲＩＤの状態がマスターのときだけＤＨＣＰパケットを中継する処理を行う。【選択図】      図１
2005341199.tif 000002
【特許請求の範囲】
【請求項１】
ＩＰアドレスを発給するＤＨＣＰサーバが属する第１のローカルネットワークと、ＩＰアドレスを要求するＤＨＣＰクライアントが属する第２のローカルネットワークとをそれぞれルータで広域ネットワークに接続し、前記ＤＨＣＰクライアントが前記ＤＨＣＰサーバからＩＰアドレスの発給を受けるために発行するＤＨＣＰパケットの輻輳を制御するシステムにおいて、
前記ルータは、
前記ＤＨＣＰクライアントが前記ＤＨＣＰサーバに対して発行するＤＨＣＰパケットを前記広域ネットワークに中継するとき、前記ＤＨＣＰパケットを中継あるいは破棄することによって輻輳を制御するＤＨＣＰリレーエージェントを有することを特徴とするＤＨＣＰパケット輻輳制御システム。
【請求項２】
前記ＤＨＣＰリレーエージェントは、
外部から設定される仮想ルータ冗長化規約に基づく仮想ルータ識別番号及び状態を用いて、前記仮想ルータ識別番号が最も小さい番号で、かつ前記状態がマスターであるとき、ＤＨＣＰパケットを中継し、前記状態がバックアップであるとき、ＤＨＣＰパケットを廃棄してＤＨＣＰパケット輻輳制御することを特徴とする請求項１記載のＤＨＣＰパケット輻輳制御システム。
【請求項３】
前記ＤＨＣＰパケットは、
ＤＨＣＰクライアントが立ち上げ時に、ＩＰアドレスを発給するＤＨＣＰサーバを発見するために送信する有効ＤＨＣＰサーバ発見パケットと、
ＩＰアドレスを発給するＤＨＣＰサーバが前記有効ＤＨＣＰサーバ発見パケットに応答して、前記ＤＨＣＰクライアントに送信する有効ＤＨＣＰサーバ発見応答パケットと、
前記ＤＨＣＰクライアントが前記有効ＤＨＣＰサーバ発見応答パケットを受けて、前記ＤＨＣＰサーバに要求するＤＨＣＰＩＰパラメータ要求パケットと、
前記ＤＨＣＰサーバが前記ＤＨＣＰＩＰパラメータ要求パケットに応答して送信するＤＨＣＰＩＰパラメータ要求確認パケットと、
を含むことを特徴とする請求項１記載のＤＨＣＰパケット輻輳制御システム。
【請求項４】
前記ＤＨＣＰパケットは、
前記第１のローカルネットワーク内では、ＤＨＣＰパケットがＤＨＣＰサーバとルータ間をユニキャストで転送され、前記第２のローカルネットワーク内では、ＤＨＣＰパケットがＤＨＣＰクライアントと２つ以上のルータ間をブロードキャストで転送されることを特徴とする請求項１記載のＤＨＣＰパケット輻輳制御システム。
【請求項５】
ＩＰアドレスを発給するＤＨＣＰサーバが属する第１のローカルネットワークと、ＩＰアドレスを要求するＤＨＣＰクライアントが属する第２のローカルネットワークとをそれぞれルータで広域ネットワークに接続し、前記ＤＨＣＰクライアントが前記ＤＨＣＰサーバからＩＰアドレスの発給を受けるために発行するＤＨＣＰパケットの輻輳を制御する方法において、
前記ＤＨＣＰパケットを中継するルータ上で動作するＤＨＣＰリレーエージェントが前記ＤＨＣＰパケットを受信したとき、自身に設定された仮想ルータ冗長化規約に基づいて、ルータ仮想識別番号及び状態の内、最も小さい仮想識別番号の状態がマスターであるとき、前記ＤＨＣＰパケットを中継し、前記状態がバックアップのとき、前記ＤＨＣＰパケットを破棄することを特徴とするＤＨＣＰパケット輻輳制御方法。
【請求項６】
前記ＤＨＣＰパケットは、
ＤＨＣＰクライアントが立ち上げ時に、ＩＰアドレスを発給するＤＨＣＰサーバを発見するために送信する有効ＤＨＣＰサーバ発見パケットと、
ＩＰアドレスを発給するＤＨＣＰサーバが前記有効ＤＨＣＰ発見パケットに応答して、ＤＨＣＰクライアントに送信する有効ＤＨＣＰサーバ発見応答パケットと、
前記ＤＨＣＰクライアントが前記有効ＤＨＣＰサーバ発見応答パケットを受けて、前記ＤＨＣＰサーバに要求するＤＨＣＰＩＰパラメータ要求パケットと、
前記ＤＨＣＰサーバが前記ＤＨＣＰパラメータ要求パケットに応答して送信するＤＨＣＰＩＰパラメータ要求確認パケットと、
を含むことを特徴とする請求項５記載のＤＨＣＰパケット輻輳制御方法。
【請求項７】
前記ＤＨＣＰパケットは、
前記第１のローカルネットワーク内では、ＤＨＣＰパケットがＤＨＣＰサーバからルータに対してユニキャストで転送され、前記第２のローカルネットワーク内では、ＤＨＣＰパケットがＤＨＣＰクライアントから２つ以上のルータに対してブロードキャストで転送されることを特徴とする請求項５記載のＤＨＣＰパケット輻輳制御方法。
【発明の詳細な説明】
【技術分野】
【０００１】
この発明は、ＩＰアドレス体系が異なるネットワーク間におけるＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとＤＨＣＰクライアント間の通信に関し、特に、ＤＨＣＰパケットの輻輳を制御するシステム及びその方法に関する。
【背景技術】
【０００２】
従来の方式では、ＤＨＣＰクライアントがＩＰアドレスを取得するまでにＤＨＣＰサーバ、ＤＨＣＰクライアント、ＤＨＣＰリレーエージェント間で、同じ動作がＤＨＣＰリレーエージェント数だけ繰り返されることになり、無効な動作が増加し、無効なトラフィックが生じる原因になっていたことである。
【０００３】
その理由は、ＤＨＣＰクライアントがＩＰアドレスを取得するためにＤＨＣＰパケットをブロードキャストで送信し、ＤＨＣＰクライアントが属するネットワーク上に存在するＶＲＲＰ（Ｖｉｒｔｕａｌ  Ｒｏｕｔｅｒ  Ｒｅｄｕｎｄａｎｃｙ  Ｐｒｏｔｏｃｏｌ）により、冗長化した複数のルータ上で動作するＤＨＣＰリレーエージェントが、ＤＨＣＰクライアントがブロードキャストで送信したＤＨＣＰパケットを同一ネットワーク上のＤＨＣＰリレーエージェントの全てが受信する。そして、全てのＤＨＣＰリレーエージェントはそれぞれが独立してＤＨＣＰサーバにＤＨＣＰパケットを中継する。即ち、ＤＨＣＰクライアントが送信したデータがＤＨＣＰリレーエージェント、ＤＨＣＰサーバ、ＤＨＣＰクライアント間で重複して送受信されことになる。
【０００４】
この問題を解決するため、同一のネットワーク内では、一つのＤＨＣＰリレーエージェントだけがＤＨＣＰサーバ、ＤＨＣＰクライアントとデータのやり取りをし、他のＤＨＣＰリレーエージェントの動作を停止させて、無効トラフィックを抑制する仕組みをＤＨＣＰリレーエージェントが備える例がある。複数のＤＨＣＰリレーエージェントに異なるタイミングを与えて、タイミングの最も短いＤＨＣＰリレーエージェントが動作し、他のリレーエージェントはネットワーク上のデータを監視して、他のリレーエージェントがメッセージを送ったことを発見した場合に、リレーエージェントの機能を停止する仕組みである。
【０００５】
【特許文献１】特開２０００−４２５７号公報（段落番号００３６乃至００４６）。
【発明の開示】
【発明が解決しようとする課題】
【０００６】
この例では、ＩＰアドレスを発給する有効ＤＨＣＰサーバを見つけるＤＨＣＰパケットをリレーエージェントがキャッチすると、設定された時間、他のエージェントが動作しているか否かを監視するため、自身の機能を停止することになり、その停止時間分だけＩＰアドレスの取得に時間がかかり、時間ロスが生じる。
【０００７】
この発明の目的は、同一ネットワーク内では一つのルータのＤＨＣＰリレーエージェントだけがＤＨＣＰパケットを中継し、他のルータのＤＨＣＰリレーエージェントはＤＨＣＰパケットを破棄して、無効なＤＨＣＰパケットの輻輳を防止することにある。
【０００８】
更に、他の目的は、ルータ上で動作するＤＨＣＰリレーエージェントに、ＤＨＣＰパケットを転送する、あるいは破棄する仮想ルータ冗長化規約（Ｖｉｒｔｉｃａｌ  Ｒｏｕｔｅｒ  Ｒｅｄｕｎｄａｎｃｙ  Ｐｒｏｔｏｃｏｌ）を外部から設定可能にして、ＤＨＣＰリレーエージェントが該規約を参照して、ＤＨＣＰパケットを、直ちに転送あるいは破棄を決定して、むだな停止時間を生じさせないことにある。
【課題を解決するための手段】
【０００９】
そのため、この発明の、ＩＰアドレスを発給するＤＨＣＰサーバが属する第１のローカルネットワークと、ＩＰアドレスを要求するＤＨＣＰクライアントが属する第２のローカルネットワークとをそれぞれルータで広域ネットワークに接続し、前記ＤＨＣＰクライアントが前記ＤＨＣＰサーバからＩＰアドレスの発給を受けるために発行するＤＨＣＰパケットの輻輳を制御するシステムにおいて、前記ルータは、前記ＤＨＣＰクライアントが前記ＤＨＣＰサーバに対して発行するＤＨＣＰパケットを前記広域ネットワークに中継するとき、前記ＤＨＣＰパケットを中継あるいは破棄することによって輻輳を制御するＤＨＣＰリレーエージェントを有することを特徴とする。
【００１０】
更に、前記ＤＨＣＰリレーエージェントは、外部から設定される仮想ルータ冗長化規約に基づく仮想ルータ識別番号及び状態を用いて、前記仮想ルータ識別番号が最も小さい番号で、かつ前記状態がマスターであるとき、ＤＨＣＰパケットを中継し、前記状態がバックアップであるとき、ＤＨＣＰパケットを廃棄してＤＨＣＰパケット輻輳制御することを特徴とする。
【００１１】
更に、前記ＤＨＣＰパケットは、ＤＨＣＰクライアントが立ち上げ時に、ＩＰアドレスを発給するＤＨＣＰサーバを発見するために送信する有効ＤＨＣＰサーバ発見（ＤＨＣＰＤＩＳＣＯＶＥＲ）パケットと、ＩＰアドレスを発給するＤＨＣＰサーバが前記有効ＤＨＣＰサーバ発見パケットに応答して、前記ＤＨＣＰクライアントに送信する有効ＤＨＣＰサーバ発見応答（ＤＨＣＰＯＦＦＥＲ）パケットと、前記ＤＨＣＰクライアントが前記有効ＤＨＣＰサーバ発見応答パケットを受けて、前記ＤＨＣＰサーバに要求するＤＨＣＰＩＰパラメータ要求（ＤＨＣＰＲＥＱＵＥＳＴ）パケットと、前記ＤＨＣＰサーバが前記ＤＨＣＰＩＰパラメータ要求パケットに応答して送信するＤＨＣＰＩＰパラメータ要求確認（ＤＨＣＰＡＣＫ）パケットと、を含むことを特徴とする。
【００１２】
更に、前記ＤＨＣＰパケットは、前記第１のローカルネットワーク内では、ＤＨＣＰパケットがＤＨＣＰサーバとルータ間をユニキャストで転送され、前記第２のローカルネットワーク内では、ＤＨＣＰパケットがＤＨＣＰクライアントと２つ以上のルータ間をブロードキャストで転送されることを特徴とする。
【００１３】
ＤＨＣＰリレーエージェントの作用は、それが動作するとき参照する仮想化ルータ複合化規約（ＶＲＲＰ；Ｖｉｒｔｉｃａｌ  Ｒｏｕｔｅｒ  Ｒｅｄｕｎｄａｎｃｙ  ｐｒｏｔｏｃｏｌ）が、仮想ルータ識別番号（ＶＲＩＤ；Ｖｉｒｔｉｃａｌ  Ｒｏｕｔｅｒ  Ｉｄｅｎｔｉｆｉｅｒ）が一番小さい番号で、かつそれがマスター状態であるＤＨＣＰリレーエージェントのみがＤＨＣＰパケットを中継するため、ＩＰアドレス取得のための無効なトラフィックを減少させることができる。
【発明の効果】
【００１４】
ルータ上で動作するＤＨＣＰリレーエージェントが、自身に設定されているＶＲＲＰを参照し、ＤＨＣＰパケットの転送あるいは破棄を決定して、無効なトラフィックや停止時間が生じさせない。その理由は、ＤＨＣＰリレーエージェントが自身に外部設定されるＶＲＲＰによって、最も小さい番号のＶＲＩＤの状態がマスターであるとき、ＤＨＣＰパケットを中継し、バックアップの状態のときは、ＤＨＣＰパケットを破棄するからである。
【発明を実施するための最良の形態】
【００１５】
この発明を実施するための最良の形態について、図面を参照して詳細に説明する。第１の実施の形態のシステムを示す図１を参照すると、ＤＨＣＰサーバ１０１はネットワーク１１１に、ＤＨＣＰクライアント１０４はネットワーク１１２にそれぞれ接続されている。ＤＨＣＰクライアントは一般的には複数であるが、図１ではＤＨＣＰクライアント１０４で代表する。
【００１６】
ネットワーク１１１には１台のルータ１０５が接続されている。ネットワーク１１２には２台のルータ１０２，ルータ１０３が接続され、それぞれＤＨＣＰリレーエージェント１０２１，ＤＨＣＰリレーエージェント１０３１が搭載され、ＶＲＲＰに基づいて動作する。
【００１７】
全てのルータ１０２，ルータ１０３，ルータ１０５は、広域ネットワーク１１３に接続され、ネットワーク１１１とネットワーク１１２とを広域ネットワーク１１３を介して、離れた組織間のネットワークを形成している。ＤＨＣＰサーバ１０１の接続されたネットワーク１１１は、例えば企業における本社のネットワークに当たり、ＤＨＣＰクライアント１０４の接続されたネットワーク１１２は、例えば企業の支社のローカルエリアネットワークに相当する。
【００１８】
図１では、ＤＨＣＰリレーエージェントがＶＲＲＰに基づいて動作するルータ１０２，ルータ１０３が２台示されているが、ＤＨＣＰリレーエージェントが動作する全てのルータで、ＶＲＲＰに基づく、一番小さい識別番号のＶＲＩＤが同一の値であれば、３台以上のルータを接続して良い。
【００１９】
図１の点線１２１，点線１２２，点線１２３はＤＨＣＰパケットの流れを示している。ルータ１０２上で動作しているＤＨＣＰリレーエージェント１０２１はＤＨＣＰパケットを受信すると（点線１２１）、ＶＲＲＰの状態を確認し、ＶＲＲＰがマスター状態であるため、ＤＨＣＰサーバ１０１宛てにＤＨＣＰパケットを送信する（点線１２３）。ルータ１０３上で動作しているＤＨＣＰリレーエージェント１０３１はＤＨＣＰパケットを受信すると（点線１２２）、ＶＲＲＰの状態を確認し、ＶＲＲＰがバックアップ状態であるため、ＤＨＣＰパケットを廃棄する。
【００２０】
次に、図１のシステムの動作を示す図２は、ネットワーク１１２に接続されたＤＨＣＰクライアント１０４がネットワーク１１１に接続されたＤＨＣＰサーバ１０１からＩＰアドレスを取得するシーケンスを示す図である。
【００２１】
ＤＨＣＰリレーエージェント１０２，ＤＨＣＰリレーエージェント１０３は、ＤＨＣＰクライアント１０４にＤＨＣＰパケットを送信するとき、ＤＨＣＰパケット内のフラグの状態によってはブロードキャストではなく、ＤＨＣＰクライアント１０４に通知するＩＰアドレス及びＤＨＣＰクライアント１０４のＭＡＣアドレス宛てに、ユニキャストで送信することもある。
【００２２】
図２を参照すると、ＤＨＣＰクライアント１０４は起動時にＩＰアドレスの取得を開始する（ステップ２０１）。ＤＨＣＰクライアント１０４は、まずＤＨＣＰサーバを検索するために、有効ＤＨＣＰサーバ発見パケット（ＤＨＣＰＤＩＳＣＯＶＥＲパケット）をネットワーク１１２にブロードキャストでルータ１０２，ルータ１０３に送信する（ステップ２０２−１、ステップ２０２−２）。
【００２３】
ＤＨＣＰリレーエージェント１０２は、ＤＨＣＰＤＩＳＣＯＶＥＲパケットを受信すると、ＶＲＲＰに基づいて、ＶＲＩＤが一番小さい番号のＶＲＩＤの状態を確認し、マスター状態であることを確認できるため、ＤＨＣＰＤＩＳＣＯＶＥＲパケットをＤＨＣＰサーバ１０１宛てにユニキャストで送信する（ステップ２０３）。
【００２４】
ＤＨＣＰリレーエージェント１０３は、ＤＨＣＰＤＩＳＣＯＶＥＲパケットを受信すると、ＶＲＲＰに基づいて、ＶＲＩＤが一番小さい番号のＶＲＩＤの状態を確認し、バックアップ状態であることを確認できるため、ＤＨＣＰＤＩＳＣＯＶＥＲパケットを廃棄する（ステップ２０４）。
【００２５】
ＤＨＣＰサーバ１０１は、ＤＨＣＰＤＩＳＣＯＶＥＲパケットを受信すると、折り返しＤＨＣＰＯＦＦＥＲパケットをＤＨＣＰリレーエージェント１０２宛てにユニキャストで送信する（ステップ２０５）。
【００２６】
ＤＨＣＰリレーエージェント１０２は、ＤＨＣＰＯＦＦＥＲパケットを受信すると、ＤＨＣＰＯＦＦＥＲパケットをＤＨＣＰクライアント１０４が存在するネットワーク１１２にブロードキャストで送信する（ステップ２０６）。
【００２７】
ＤＨＣＰクライアント１０４は、ＤＨＣＰＯＦＦＥＲパケットを受信すると、ＤＨＣＰＲＥＱＵＥＳＴパケットをネットワーク１１２にブロードキャストで送信する（ステップ２０７−１、ステップ２０７−２）。
【００２８】
ＤＨＣＰリレーエージェント１０２は、ＤＨＣＰＲＥＱＵＥＳＴパケットを受信すると、ＶＲＲＰに基づくＶＲＩＤが一番小さい番号のＶＲＩＤの状態を確認し、マスター状態であることを確認できるため、ＤＨＣＰＲＥＱＵＥＳＴパケットをＤＨＣＰサーバ１０１宛てにユニキャストで送信する（ステップ２０８）。
【００２９】
ＤＨＣＰリレーエージェント１０３は、ＤＨＣＰＲＥＱＵＥＳＴパケットを受信すると、ルータ上で動作しているＶＲＲＰのうち、ＶＲＩＤが一番小さい番号の状態を確認し、バックアップ状態であることを確認できるため、ＤＨＣＰＲＥＱＵＥＳＴパケットを廃棄する（ステップ２０９）。
【００３０】
ＤＨＣＰサーバ１０１は、ＤＨＣＰＲＥＱＵＥＳＴパケットを受信すると、折り返しＤＨＣＰＡＣＫパケットをＤＨＣＰリレーエージェント１０２宛てにユニキャストで送信する（ステップ２１０）。
【００３１】
ＤＨＣＰリレーエージェント１０２は、ＤＨＣＰＡＣＫパケットを受信すると、ＤＨＣＰＡＣＫパケットをＤＨＣＰクライアント１０４が存在するネットワーク１１２にブロードキャストで送信する（ステップ２１１）。
【００３２】
ＤＨＣＰクライアント１０４はＤＨＣＰＡＣＫを受信すると、ＩＰアドレスが使用可能となる（ステップ２１２）。
【００３３】
上記の説明によれば、ステップ２０４及びステップ２０９において、ＤＨＣＰリレーエージェント１０３がＤＨＣＰパケットを中継しないで廃棄することにより、ＤＨＣＰリレーエージェント１０２，ＤＨＣＰリレーエージェント１０３とＤＨＣＰサーバ１０１間のトラフィックを軽減することができる。また、ＤＨＣＰサーバ１０１から応答が複数返却されなくなるため、ＤＨＣＰリレーエージェント１０２，ＤＨＣＰリレーエージェント１０３とＤＨＣＰクライアント１０４間のトラフィックも軽減することができる。
【００３４】
図３は、ＤＨＣＰリレーエージェント１０２，ＤＨＣＰリレーエージェント１０３がＶＲＲＰに基づいく動作を示したフローチャート図である。ＤＨＣＰリレーエージェント１０２，ＤＨＣＰリレーエージェント１０３がＤＨＣＰクライアント１０４からＤＨＣＰパケットを受信したとき（ステップ３０１）、ＤＨＣＰリレーエージェント１０２，ＤＨＣＰリレーエージェント１０３は、ＤＨＣＰリレーエージェントと同じルータで動作しているＶＲＲＰに基づいて、ＶＲＩＤが一番小さい識別番号の状態を確認し（ステップ３０２）、マスター状態であれば、ＤＨＣＰサーバ１０１にＤＨＣＰパケットを送信する（ステップ３０３）。バックアップ状態であれば、ＤＨＣＰパケットを廃棄する（ステップ３０４）。
【００３５】
次に、第２の実施例として、その基本的構成は図１と同じであるが、ＶＲＩＤが複数存在する場合について、ＶＲＲＰに基づくＤＨＣＰリレーエージェントの動作を図４を参照して説明する。
【００３６】
ＶＲＩＤが複数存在する場合のＶＲＲＰに基づくＤＨＣＰリレーエージェントの動作は、ルータ４０２ではＶＲＩＤ２及びＶＲＩＤ３はバックアップ状態であるが、一番小さい番号のＶＲＩＤ１がマスター状態であるため、ＤＨＣＰパケットをＤＨＣＰサーバ４０１に中継する。ルータ４０３ではＶＲＩＤ２がマスター状態であるが、一番小さい番号のＶＲＩＤ１がバックアップ状態であるため、ＤＨＣＰパケットを廃棄する。ルータ４０４ではＶＲＩＤ３がマスター状態であるが、一番小さい番号のＶＲＩＤ１がバックアップ状態であるため、ＤＨＣＰパケットを廃棄する。
【００３７】
この第２の実施例の動作を図４を参照して説明すると、ＤＨＣＰサーバ４０１はネットワーク４１１に、ＤＨＣＰクライアント４０５はネットワーク４１２にそれぞれ接続されている。ＤＨＣＰクライアント４０５は一般的には複数であるが、図４ではＤＨＣＰクライアント４０５で代表させる。
【００３８】
ネットワーク４１１には１台のルータ４０６が接続されている。ネットワーク４１２には３台のルータ４０２，ルータ４０３，ルータ４０４が接続されている。ネットワーク４１２に接続された３台のルータ４０２，ルータ４０３，ルータ４０４には、ＤＨＣＰリレーエージェント４０２１，ＤＨＣＰリレーエージェント４０３１，ＤＨＣＰリレーエージェント４０４１がそれぞれ複数のＶＲＩＤを持つＶＲＲＰに基づいて動作している。
【００３９】
ルータ４０２，ルータ４０３，ルータ４０４，ルータ４０６は広域ネットワーク４１３に接続されている。ＤＨＣＰサーバ４０１が接続されたネットワーク４１１は、例えば企業における本社のネットワークに当たり、ＤＨＣＰクライアント４０５が接続されたネットワーク４１２は、例えば企業の支社のローカルエリアネットワークに当たる。
【００４０】
図４では、ＶＲＲＰの基づくＤＨＣＰリレーエージェントが動作しているルータが３台示されているが、ＤＨＣＰリレーエージェントが動作する全てのルータで、一番小さいＶＲＩＤが同一の番号であれば、４台以上のルータが存在しても良い。点線は、ＤＨＣＰパケットの転送を点線４２１乃至点線４２４で示している。ルータ４０２上で動作しているＤＨＣＰリレーエージェント４０２１はＤＨＣＰクライアント４０５が送信したＤＨＣＰパケットを受信すると、ＶＲＩＤが一番小さい番号の状態を確認し、ＶＲＩＤ１の状態がマスター状態であるため、ＤＨＣＰサーバ４０１宛てに、該ＤＨＣＰパケットを送信する。このとき、ＶＲＩＤ２、ＶＲＩＤ３の状態は参照しない。
【００４１】
ルータ４０３上で動作しているＤＨＣＰリレーエージェント４０３はＤＨＣＰクライアント４０５が送信したＤＨＣＰパケットを受信すると、ＶＲＩＤが一番小さいＶＲＩＤ１の状態を確認し、バックアップ状態であるため、該ＤＨＣＰパケットを廃棄する。このとき、ＶＲＩＤ２及びＶＲＩＤ３の状態は参照しない。
【００４２】
ルータ４０４上で動作しているＤＨＣＰリレーエージェント４０４１はＤＨＣＰクライアント４０５が送信したＤＨＣＰパケットを受信すると、ＶＲＩＤが一番小さいＶＲＩＤ１の状態を確認し、ＶＲＲＰの状態がバックアップ状態であるため、該ＤＨＣＰパケットを廃棄する。このとき、ＶＲＩＤ３の状態は参照しない。
【産業上の利用可能性】
【００４３】
ＩＰアドレス体系が異なる離れたネットワークを広域ネットワークを介して、接続してなる組織間ネットワークに利用できる。
【図面の簡単な説明】
【００４４】
【図１】この発明の実施の形態における第１の実施例のシステム構成図である。
【図２】第１の実施例におけるＤＨＣＰパケットの流れを示す図である。
【図３】ＤＨＣＰリレーエージェントの動作を示すフローチャートである。
【図４】この発明の実施の形態における第２の実施例のＶＲＩＤが複数存在する場合のシステム構成図である。
【符号の説明】
【００４５】
１０１，４０４    ＤＨＣＰサーバ
１０２１，１０３１，４０２１，４０３１，４０４１    ＤＨＣＰリレーエージェント
１０４，４０５    ＤＨＣＰクライアント
１１１，１１２，４１１，４１２    ネットワーク
１１３，４１３    広域ネットワーク
１０２，１０３，１０５，４０２，４０３，４０４，４０６    ルータ
【図１】
2005341199.tif 000003
【図２】
2005341199.tif 000004
【図３】
2005341199.tif 000005
【図４】
2005341199.tif 000006